(57)【要約】【課題】  爪のマニキュアにエナメルリムーバーを塗ってエナメルを拭き取る場合に使用するコットンンシートを備え、そのコットンシートを迅速かつ簡便に取り出すことができるエナメルリムーバー容器を提供する。【解決手段】  エナメルリムーバーの収納部と、上記収納部の開口部を開閉可能な蓋部と、拭き取り部材の保持部とを有し、上記拭き取り部材の保持部は、上記蓋部に設けられている。上記拭き取り部材の保持部は、円筒状に形成された拭き取り部材収納部を有し、上記拭き取り部材収納部は上記蓋部の上に配置されて、上記蓋部に対し着脱可能に係合しうる係合部を有し、上記拭き取り部材収納部には着脱可能なキャップ部が備えられている。【選択図】  図２
0003124387.tif 000002
【実用新案登録請求の範囲】
【請求項１】
ボトル状のエナメルリムーバーの収納部と、上記収納部の開口部を開閉可能な蓋部と、エナメルリムーバーの拭き取り部材の保持部とを有し、
上記拭き取り部材の保持部は、円筒状に形成された拭き取り部材収納部を有し、上記拭き取り部材収納部は上記蓋部の上に配置されて、上記蓋部に対し着脱可能に係合しうる係合部を有し、上記拭き取り部材収納部には着脱可能なキャップ部が備えられていることを特徴とするエナメルリムーバー容器。
【請求項２】
上記エナメルリムーバーの収納部は端部に上記開口部を有し、上記蓋部は上記エナメルリムーバーの収納部と同一外径寸法を有する外筒部と、上記外筒部の内側に上記開口部を密閉可能な内筒部を有する形状に形成され、上記拭き取り部材の保持部は上記蓋部の外筒部と同一外径寸法を有する円筒状に形成されていることを特徴とする請求項１のエナメルリムーバー容器。
【請求項３】
上記拭き取り部材はコットンシートであり、複数枚が積層状態で上記拭き取り部材収納部に収納されていることを特徴とする請求項１又は２のいずれか１項に記載されたエナメルリムーバー容器。
【考案の詳細な説明】
【技術分野】
【０００１】
本考案はエナメルリムーバー容器、特に、拭き取り部材を一体に保持しうるエナメルリムーバー容器に関する。
【背景技術】
【０００２】
爪に塗ったマニキュアを落とす場合は、マニキュアにエナメルリムーバー（除光液）を塗ってエナメルを溶解させてから、エナメルをティッシュやコットンシート等により拭き取る必要がある。
【０００３】
従来のエナメルリムーバー容器は、エナメルリムーバーのみを収納しうるように形成されており、ティッシュやコットンシート等は別の箱状の容器に収納されていた。
【０００４】
上記エナメルリムーバー容器は他の化粧用具と一緒に保持されることが多く、ティッシュやコットンシート入り容器は、化粧用具とは別個の場所に置かれていることが多い。
【０００５】
したがって、手近な場所にティッシュやコットンシート入り容器がない場合に、爪のマニキュアにエナメルリムーバーを塗ってから、ティッシュやコットンシート入り容器を少し離れた場所まで急いで取りに行かねばならないことも多く、煩雑であった。
【０００６】
本出願人は上記不具合を解消しうるエナメルリムーバー容器について調査したが、関連する先行技術文献を発見することはできなかった。
【考案の開示】
【考案が解決しようとする課題】
【０００７】
そこで本考案の課題は、爪のマニキュアにエナメルリムーバーを塗って溶解したエナメルをコットンシートにより迅速かつ簡便に拭き取ることを可能とするエナメルリムーバー容器を提供することにある。
【課題を解決するための手段】
【０００８】
上記課題を解決するために、本考案にあっては、ボトル状のエナメルリムーバーの収納部と、上記収納部の開口部を開閉可能な蓋部と、エナメルリムーバーの拭き取り部材の保持部とを有し、上記拭き取り部材の保持部は、円筒状に形成された拭き取り部材収納部を有し、上記拭き取り部材収納部は上記蓋部の上に配置されて、上記蓋部に対し着脱可能に係合しうる係合部を有し、上記拭き取り部材収納部には着脱可能なキャップ部が備えられていることを特徴とする。
【０００９】
すなわち、上記拭き取り部材の保持部は、拭き取り部材収納部と、キャップ部とにより構成され、拭き取り部材を使用するときは、上記キャップ部を外して取り出すことができる。
また、上記拭き取り部材収納部は、上記蓋部の上に配置されているので、蓋部を上記収納部に被着したままでも、拭き取り部材を取り出して使用することができる。
また、上記拭き取り部材収納部は、上記蓋部から取り外して使用することもできる。
【００１０】
また、本考案に係る上記エナメルリムーバー容器にあっては、上記エナメルリムーバーの収納部は、端部に上記開口部を有するボトル状に形成され、上記蓋部は上記エナメルリムーバーの収納部と同一外径寸法を有する外筒部と、上記外筒部の内側に上記開口部を密閉可能な内筒部を有する形状に形成され、上記拭き取り部材の保持部は上記蓋部の外筒部と同一外径寸法を有する円筒状に形成されている。
【００１１】
すなわち、上記エナメルリムーバーの収納部と、上記蓋部の外筒部と、上記拭き取り部材の保持部の外径寸法は同一であり、全体形状は円筒形に形成されている。したがって、外径が一定なので、バッグなどに収納して携帯する場合に邪魔にならない。また、外観品質が良好である。
【００１２】
また、本考案に係る上記エナメルリムーバー容器にあっては、上記拭き取り部材はコットンシートであり、複数枚が積層状態で上記拭き取り部材収納部に収納されている。
【００１３】
すなわち、上記拭き取り部材の素材として、マニキュアを拭き取りやすく、爪を傷付けにくいコットンが使用されている。
また、できるだけ多量のコットンを効率良く収納するために、シート状に形成して、積層状態で上記拭き取り部材収納部に収納している。
【考案の効果】
【００１４】
請求項１記載の本考案に係るエナメルリムーバー容器は、爪に塗ったマニキュアにエナメルリムーバーを塗ってエナメルを溶解させてから、エナメルを拭き取る場合に、ティッシュペーパー等の拭き取り部材を探す必要がなく、拭き取り部材を上記拭き取り部材の保持部から迅速に取り出すことができるので、マニキュア落し作業の煩雑が解消する。
また、上記拭き取り部材の保持部は、上記蓋部に設けられていることから、エナメルリムーバーをマニキュアに塗るために上記エナメルリムーバー収納部の開口部を開いた際に、上記蓋部に設けられた上記拭き取り部材の保持部から拭き取り部材を迅速に取り出して使用できる。
【００１５】
また、請求項１記載の本考案に係るエナメルリムーバー容器は、上記拭き取り部材の保持部は、円筒状に形成された拭き取り部材収納部を有し、上記拭き取り部材収納部は上記蓋部の上に配置されていることから、拭き取り部材を取り出しやすく、蓋部の機能も損なうことがない。
また、上記拭き取り部材収納部は上記蓋部に対し着脱可能に係合しうる係合部を有していることから、上記拭き取り部材収納部を蓋部から取り外して使用することもでき、使い勝手が良好である。
また、上記拭き取り部材収納部には着脱可能なキャップ部が備えられていることから、拭き取り部材が飛散する事態をキャップ部で防止することができる。
【００１６】
請求項３記載の本考案に係るエナメルリムーバー容器は、上記エナメルリムーバーの収納部と、上記蓋部と、上記拭き取り部材の保持部とを連結した状態で全体が円筒状になるので、上記拭き取り部材の保持部を設けたことによる良好な外観品質を向上させることができる。
【００１７】
また、請求項３記載の本考案に係るエナメルリムーバー容器は、上記拭き取り部材はコットンシートであることから、爪のマニキュアを拭き取りやすく、爪を傷付けにくい。
また、コットンシートは複数枚が積層状態で上記拭き取り部材収納部に収納されていることから、使用の際に適量づつ取り出しやすいため、良好な使用状態を確保することができる。
【考案を実施するための最良の形態】
【００１８】
以下、図面を用いて本発明の実施の形態について説明する。
本実施の形態に係るエナメルリムーバー容器１１は、図１に示すように、エナメルリムーバーの収納部１２と、上記収納部１２の開口部１３を開閉可能な蓋部１４と、拭き取り部材１５の保持部１６とを有し、図２に示すように、上記拭き取り部材１５の保持部１６は、上記蓋部１４に設けられている。
上記拭き取り部材１５の保持部１６は、図１に示すように、円筒状に形成された拭き取り部材収納部２３を有し、図２に示すように、上記拭き取り部材収納部２３は上記蓋部１４の上に配置されて、上記蓋部１４に対し着脱可能に係合しうる係合部２５を有し、上記拭き取り部材収納部２３には着脱可能なキャップ部２４が備えられている。
上記エナメルリムーバーの収納部１２は、図１に示すように、上面部に上記開口部１３を有するボトル状に形成され、上記蓋部１４は上記エナメルリムーバーの収納部１２と同一外径寸法を有する外筒部１９と、上記外筒部１９の内側に上記開口部１３を密閉可能な内筒部２０を有する形状に形成され、上記拭き取り部材１５の保持部１６は上記蓋部１４の外筒部１９と同一外径寸法を有する円筒状に形成されている。
上記拭き取り部材１５はコットンシート３１であり、図２に示すように、複数枚が積層状態で上記拭き取り部材収納部２３に収納されている。
【実施例１】
【００１９】
図は実施例に係るエナメルリムーバー容器１１を示したものである。
図１は本実施例に係るエナメルリムーバー容器１１を示す分解斜視図である。
図１に示すように、本実施例に係るエナメルリムーバー容器１１は、エナメルリムーバーの収納部１２と、上記収納部１２の開口部１３を開閉可能な蓋部１４と、拭き取り部材１５の保持部１６とを有している。
【００２０】
上記拭き取り部材１５の保持部１６は、上記蓋部１４に設けられている。
【００２１】
上記エナメルリムーバーの収納部１２は、ポリエチレンを素材として、全体が不透明なボトル形状に形成されている。
すなわち、上記エナメルリムーバーの収納部１２は、上端部に細径の首部１７を有し、上記首部１７の先端に開口部１３を有している。
上記首部１７の外周面には雄ネジ部１８が形成されている。
上記エナメルリムーバーの収納部１２には、図示はしないが、爪に塗ったマニキュアの素材であるエナメルを溶解して拭き取り可能とするエナメルリムーバー（除光液）が収納されている。
【００２２】
上記蓋部１４は、上記エナメルリムーバーの収納部１２と同様にポリエチレンを素材として、透明な円筒状に形成されている。
上記蓋部１４は、外筒部１９と内筒部２０を有し、二重筒構造に形成されている。
上記外筒部１９は上記エナメルリムーバーの収納部１２と同一外径寸法を有するように形成されている。
【００２３】
上記蓋部１４の内筒部２０は、上記蓋部１４の天面部２１における中心部から下方へ垂下するように形成されている。
上記内筒部２０は、上記エナメルリムーバーの収納部１２における上記首部１７の外径寸法とほぼ同一の内径寸法を有し、下端が開口した円筒状に形成されている。
上記内筒部２０の内周面には、上記首部１７に設けられた上記雄ネジ部１８に螺合しうる雌ネジ部２２が設けられている。
【００２４】
図２は上記蓋部１４を上記エナメルリムーバーの収納部１２に被着した状態を示したものである。
上記雌ネジ部２２を上記雄ネジ部１８に螺合させながら、上記内筒部２０を上記首部１７に被着させることにより、上記エナメルリムーバーの収納部１２における上記開口部１３を蓋部１４により確実に密閉することができる。
【００２５】
図１に示すように、上記拭き取り部材１５の保持部１６は、上記蓋部１４における上記外筒部１９と同一外径寸法を有する円筒状に形成されている。
上記拭き取り部材１５の保持部１６は、円筒状に形成された拭き取り部材収納部２３と、キャップ部２４とにより構成されている。
上記拭き取り部材１５の保持部１６は上記蓋部１４に設けられている。すなわち、上記拭き取り部材収納部２２は上記蓋部１４の上に配置されている。
【００２６】
上記拭き取り部材収納部２２は上記蓋部１４に対し着脱可能に形成されている。
上記拭き取り部材収納部２２には上記蓋部１４に係脱可能な係合部２５が設けられている。
すなわち、上記拭き取り部材収納部２２は下方へ延設された突出筒部２６を有し、上記突出筒部２６における先端の内面部における周方向の複数箇所に、弾性変形可能な突起２７が上記係合部２５として設けられている。
これに対し、上記蓋部１４には上記係合部２５が係止しうる被係合部２８が設けられている。
上記被係合部２８は、上記蓋部１４の外周面の上端に設けられた外径縮小部２９に凸部３０として周設されている。
図２に示すように、上記拭き取り部材収納部２２を上記蓋部１４の上に載置して、上記突起２７を上記凸部３０に係合させれば、上記拭き取り部材収納部２２は上記蓋部１４に固定される。
【００２７】
上記拭き取り部材収納部２２の内部には拭き取り部材１５が収納されている。
上記拭き取り部材１５にはコットンシート３１が使用されている。
上記コットンシート３１は、上記拭き取り部材収納部２２の平面形状と同様に円形に形成され、多数枚が積層され、一枚づつ取り出し可能に上記拭き取り部材収納部２２に収納されている。
【００２８】
上記拭き取り部材１５の保持部１６は、上記拭き取り部材収納部２２の上端開口部３２を開閉可能なキャップ部２４を備えている。
上記拭き取り部材収納部２２は、外周面の上端部に雄ネジ部３４を有し、これに対し、上記キャップ部２４は、周壁の内周面に雌ネジ部３５が形成されている。
したがって、上記雄ネジ部３４に上記雌ネジ部３５を螺合させれば、図２に示すように、上記キャップ部２４を上記拭き取り部材収納部２２に被着させることができる。
【００２９】
以下、上記実施例に係るエナメルリムーバー容器１１の作用について説明する。
爪に塗ったマニキュアを落す場合は、まず、上記エナメルリムーバーの収納部１２から上記蓋部１４を取り外して、上記収納部１２の開口部１３を開き、内部に収納されたエナメルリムーバーを爪に塗る。
上記エナメルリムーバーにより爪に塗ったエナメルが溶解状態になったら、爪のエナメルを上記拭き取り部材１５であるコットンシート３１により拭き取る。
その場合、上記コットンシート３１を収納した上記拭き取り部材１５の保持部１６が上記蓋部１４に設けられていることから、上記コットンシート３１を迅速に取り出すことができる。
したがって、従来のように、ティッシュペーパー等の拭き取り部材を収納した容器を離れた場所まで急いで取りに行く煩雑がなく、マニキュア落し作業の煩雑が解消する。
【００３０】
上記拭き取り部材１５の保持部１６は、円筒状に形成された拭き取り部材収納部２３を有し、上記拭き取り部材収納部２３は上記蓋部１４の上に配置されていることから、拭き取り部材１５を迅速に取り出すことができる。また、蓋部１４の機能が損なわれることもない。
また、上記拭き取り部材収納部２３は上記蓋部１４に対し着脱可能に係合しうる係合部２５を有していることから、上記拭き取り部材収納部２３を蓋部１４から取り外して使用することも可能である。したがって、使い勝手が良好である。
また、上記拭き取り部材収納部２３には着脱可能なキャップ部２４が備えられていることから、拭き取り部材１５が埃等を被って汚れることもない。
【００３１】
また、上記エナメルリムーバーの収納部１２と、上記蓋部１４の外筒部１９と、上記拭き取り部材１５の保持部１６は共に同一外径寸法を有するように形成されていることから、全体形状が円筒状になり、上記拭き取り部材１５の保持部１６を設けたことによるデザイン的な違和感がない。
また、上記拭き取り部材１５としてコットンシート３１が使用されていることから、爪のマニキュアを拭き取りやすく、爪を傷付けにくい。
また、上記コットンシート３１は複数枚が積層状態で上記拭き取り部材収納部２３に収納されていることから、使用の際に適量づつ取り出しやすい。
【産業上の利用可能性】
【００３２】
本考案は、マニキュアの拭き取り部材を備えたエナメルリムーバー容器に適用可能である。
【図面の簡単な説明】
【００３３】
【図１】本考案の実施例に係るエナメルリムーバー容器の分解斜視図である。
【図２】本考案の実施例に係るエナメルリムーバー容器の縦断面図である。
【符号の説明】
【００３４】
１１  エナメルリムーバー容器
１２  エナメルリムーバーの収納部
１３  開口部
１４  蓋部
１５  拭き取り部材
１６  拭き取り部材の保持部
１７  首部
１８  雄ネジ部
１９  外筒部
２０  内筒部
２１  天面部
２２  雌ネジ部
２３  拭き取り部材収納部
２４  キャップ部
２５  係合部
２６  突出筒部
２７  突起
２８  被係合部
２９  外径縮小部
３０  凸部
３１  コットンシート
３２  拭き取り部材収納部
３４  雄ネジ部
３５  雌ネジ部
【図１】
0003124387.tif 000003
【図２】
0003124387.tif 000004